(57)【特許請求の範囲】
【請求項１】
自転車や車椅子の車輪の空気供給用口金に常時取り付けるもので、口金取付部と、空気圧入部と、空気圧表示部とから構成され、前記空気圧入部よりタイヤ内に空気を圧入しながら、タイヤ内の圧力と同じ圧力を前記空気圧表示部に表示することができることを特徴とするタイヤ空気圧表示器。
【請求項２】
下部に前記口金取付部を設け、中央部側方に前記空気圧入部を設け、上部に前記空気圧表示部を設けてなることを特徴とする請求項１記載のタイヤ空気圧表示器。
【請求項３】
前記口金取付部の上部水平方向に、前記空気圧入部及び前記空気圧表示部を突設してなることを特徴とする請求項１記載のタイヤ空気圧表示器。
【請求項４】
前記口金取付部の上部垂直方向に前記空気圧入部を、上部水平方向に前記空気圧表示部を、それぞれ突設してなることを特徴とする請求項１記載のタイヤ空気圧表示器。
【請求項５】
前記空気圧表示部が圧力計であることを特徴とする請求項１、２、３又は４記載のタイヤ空気圧表示器。
【請求項６】
前記空気圧表示部がバネと色別表示体となることを特徴とする請求項１、２、３又は４記載のタイヤ空気圧表示器。
【発明の詳細な説明】
【技術分野】
【０００１】    本発明は、主に車椅子や自転車の車輪の空気供給用口金に取り付けて安全に走行することのできるタイヤ空気圧表示器に関する。
【背景技術】
【０００２】  従来技術としては、搭乗者が操作するブレーキレバーにより、駆動輪の空気入りタイヤの外周に、ブレーキシューを押圧、解除するブレーキ機構において、前記駆動輪の空気入りタイヤの直径の延長線にほぼ直交し、該タイヤの外周を前記駆動輪の車輪方向に押圧する面と、該押圧する面により前記タイヤがその幅方向に変形する部分を抑制する面を両側に有するブレーキ片を前記ブレーキシューと一体に作動するように固定して備えたことを特徴とする車椅子のブレーキ装置がある。（特許文献１参照）【０００３】  別の従来例としてはタイヤの空気圧を測定する測定器であって、異なる種類のタイヤの空気供給用口金に係合可能なチェック部と、空気圧を検出する空気圧検出部と、検出された空気圧の測定値を表示する表示部とから構成されており、該表示部に表示される測定値の単位を切り換える切り換えスイッチと、該切り換えスイッチにより指定された圧力単位に換算する演算回路部とを備えていることを特徴とする空気圧測定器がある。（特許文献２参照）
【先行技術文献】
【特許文献】
【０００４】
【特許文献１】  特開２０１０−２９６６９号公報
【特許文献２】  実用新案登録第３０８７３９４号公報
【発明の概要】
【発明が解決しようとする課題】
【０００５】  上記前者のものは、車椅子のタイヤの空気が減った場合においても３方向からの押し付け力でブレーキ力を保持できるものであるが、空気圧が減っているとタイヤが変形して転がり抵抗が大きくなり、走行時の操作者の負担は大きい。【０００６】  上記後者のものは、空気圧が適正かどうかを後工程にてチェックするもので、空気の圧入と同時にチェックすることはできない。【０００７】  車椅子の駐車ブレーキは、前輪のタイヤ幅方向に金属製の薄板や丸棒を押しつけるもので空気圧が減少するとブレーキの効きを期待できなくなる。
本発明は、このような従来の構成が有していた問題を解決しようとするもので、車椅子のタイヤの空気圧を走行時や空気圧入時など問わず、常に管理することができるため、移乗などの際に車椅子が予期せず動き出すことによる転倒等を防止するタイヤ空気圧表示器を提供することを目的とする。
【課題を解決するための手段】
【０００８】  本発明は、上記目的を達成するために、車椅子の車輪の空気供給用口金に取り付けるもので、口金取付部と、空気圧入部と、空気圧表示部とから構成され、前記空気圧入部よりタイヤ内に空気を圧入しながら、タイヤ内の圧力と同じ圧力を前記空気圧表示部に表示することができること。下部に前記口金取付部を設け、中央部側方に前記空気圧入部を設け、上部に前記空気圧表示部を設けてなること。前記口金取付部の上部水平方向に、前記空気圧入部及び前記空気圧表示部を突設してなること。前記空気圧表示部が圧力計であること。前記空気圧表示部がバネと色別表示体となることを特徴とする。
【発明の効果】
【０００９】１）、主に車椅子の車輪の既設の空気供給用口金に取り付けた状態で空気圧入部より空気      を圧入する際に、タイヤ内の圧力を同時に空気圧表示部に表示することができるた      め、邪魔にならず必要な空気圧を同時に目視することができる。
２）、タイヤの空気供給用口金に常時取り付けることにより、空気圧を常時管理できる。      したがってタイヤの空気圧低下によるブレーキ力の低下を防止することができるた      め、安全・安心して車椅子を駐車することができる。
３）、中央部側方に空気圧入部を設けることにより、空気入れとの接続作業や空気の圧入      作業が簡易に行うことができる。
４）、口金取付部の上部垂直方向に空気圧入部を突設することにより、今までと同じやり      方で空気を圧入することができ、簡単である。
５）、水平方向に空気圧表示部を設けることにより、車椅子に座っている人も、介護する      人も、上方より空気圧を確認することができ、チェックし易い。
６）、空気圧表示部を圧力計（アナログ）にすることにより、タイヤの適正な圧力数値を      確実に把握することができる。
７）、空気圧表示部を色別表示体とすることにより、目の悪い方でも表示色により適正圧      力状態かどうかを把握できる。
８）、タイヤの空気圧を常に管理することにより、乗り心地や操作性を適正な状態に保持      することができ、タイヤの長寿命化も期待できる。
【図面の簡単な説明】
【００１０】
【図１】  本発明の第１実施例を示すタイヤ空気圧表示器の正面図。
【図２】  本発明の第１実施例を示すタイヤ空気圧表示器の使用状態図。
【図３】  本発明の第２実施例を示すタイヤ空気圧表示器の正面図。
【図４】  本発明の第２実施例を示すタイヤ空気圧表示器の平面図。
【図５】  本発明の第３実施例を示すタイヤ空気圧表示器の正面図。
【図６】  本発明の第４実施例を示すタイヤ空気圧表示器の空気圧表示部の一部縦断正面図
【発明を実施するための形態】
【００１１】  本発明の第１実施例のタイヤ空気圧表示器について説明する。
１は、タイヤ空気圧表示器である。
２は、車椅子の車輪の空気供給用口金に取り付ける下部に設けた口金取付部で、螺設部２ａと英式バルブ２ｂにより構成する。
３は、中央部側方に設けてなる空気圧入部で、車椅子に取り付けてあるものと同様な形状とし、キャップＫを外して空気入れを接続できる。
４は、上部に設けてなる圧力計による空気圧表示部で、最適な空気圧（目盛Ｍ）である３〜７ｍｐａを針Ｈにて表示できるものとする。（図１）
【００１２】  タイヤ空気圧表示器１の使用例について説明する。
まず、車椅子（図示せず）の車輪ＳのリムＲに設けてある空気供給用口金ＫＵに、口金取付部２の英式バルブ２ｂを挿入し、螺設部２ａにより螺入して固定する。
この状態で、空気圧入部３のキャップＫを外して、空気圧入部３に一般に市場に出回っている空気入れＫＩを取り付け、空気を圧入する。
この時、タイヤＴ内の空気圧が、同時に空気圧表示部４に表示される。
よって、表示される数値（目盛ｍ・針Ｈ）を見ながら空気を圧入し、適正な空気圧の空気量を圧入することができる。（図２）
【００１３】  つぎに、第２実施例のタイヤ空気圧表示器について説明する。
タイヤ空気圧表示器２１は、前記と同様な口金取付部２２の上部水平方向に、前記と同様な空気圧入部２３を、反対側水平方向に前記と同様な空気圧表示部２４を突設してなる。
なお、空気圧表示部２４は、上方から見られるようにしている。（図３、図４）
【００１４】  つぎに、第３実施例のタイヤ空気圧表示器について説明する。
タイヤ空気圧表示器３１は、前記空気圧入部２３のように水平方向に突設するのではなく、前記と同様な口金取付部３２の上部に空気圧入部３３を設けてなるもので、今までと同じやり方で空気を圧入することができる。（図５）
【００１５】  つづいて、第４実施例のタイヤ空気圧表示器の空気圧表示部について説明する。
タイヤ空気圧表示器４１は、前記タイヤ空気圧表示器１・２１の空気圧表示部４・２４を変更してなるもので、空気圧表示部４４は、筒状で、透明な窓（全周）４４ａ１を設けたケース４４ａ内に、３段階の色（赤色４４ｂ１・青色４４ｂ２・黄色４４ｂ３）を表示すると共に、下部にストッパー４４ｂ４を形設してなる円柱状の表示体４４ｂのストッパー４４ｂ４側に引張スプリング４４ｂ５を一体に連結してなる。（図６）
【００１６】  タイヤ空気圧表示器４１の使用例について説明する。
空気を圧入することにより、表示部本体４４ｂのストッパー４４ｂ４が押圧され、引張スプリング４４ｂ５が伸び、表示本体４４ｂの赤色４４ｂ１・青色４４ｂ２・黄色４４ｂ３が、ケース４４ａの窓４４ａ１の直下に現れる。使用者は４４ａ１の表示色を見ながら適正な空気圧をチェックできる。
つまり、赤色４４ｂ１では空気圧が低く、青色４４ｂ２は適正で、黄色４４ｂ３は空気圧が高いことが見て分かる。
また、使用時に空気圧が減少した場合、引張スプリング４４ｂ５が引っ張られて、赤色４４ｂ１が表示されれば、危険サインであり、早急な空気補充を警告する。
【００１７】  前記各実施例において、材質や全体の大きさ、特に空気圧表示部の大きさは、必要によって決めればよい。
【産業上の利用の可能性】
【００１８】  車椅子の空気圧低下は、駐車ブレーキの効き性能に悪影響を及ぼし、駐車ブレーキをかけているにも拘らず、移乗の際等に車椅子が動き出し転倒する事故が多く発生している現状を打破するもので市場のニーズは高い。
【符号の説明】
【００１９】  １―――タイヤ空気圧表示器
２―――口金取付部
３―――空気圧入部
４―――空気圧表示部
Ｋ―――空気供給用口金
【図１】
0005974388.tif 000002
【図２】
0005974388.tif 000003
【図３】
0005974388.tif 000004
【図４】
0005974388.tif 000005
【図５】
0005974388.tif 000006
【図６】
0005974388.tif 000007